(57)【特許請求の範囲】
【請求項１】
被写体を撮影するカメラ部と、少なくとも、該カメラ部で撮影された映像を記録媒体に記録し、また、該記録媒体に記録された映像を再生する情報記録再生部と、該情報記録再生部で再生された映像、及び／または、前記カメラ部で撮影された映像を表示するモニタ部と、より成るモニタ付カメラ一体型情報記憶再生装置において、
外部機器との情報の送受信をするインターフェース手段と、
前記モニタ部に表示された映像から所定の範囲の映像を指定するトリミング手段と、
少なくとも、前記トリミング手段で指定された映像を含む、予め定められた複数の映像形態の内から所定の映像形態を選択する映像モード選択手段と、
を具備し、
前記外部機器がビデオプリンタである場合に、該ビデオプリンタの用紙サイズを前記インターフェース手段を通じて受信し、該用紙サイズに応じた映像情報が前記インターフェース手段より前記ビデオプリンタに出力されるように前記トリミング手段、及び／または、前記映像モード選択手段を制御する
ことを特徴とするモニタ付カメラ一体型情報記憶再生装置。
【請求項２】
前記用紙サイズが、パノラマプリント用紙である場合には、２枚の静止画がプリントされる機能を備えたことを特徴とする請求項１に記載のモニタ付カメラ一体型情報記憶再生装置。
【請求項３】
前記外部機器の状態を前記インターフェース手段を通じて受信し、該外部機器の状態に応じて前記トリミング手段、及び／または、前記映像モード選択手段、及び／または、表示キャラクタ制御部を制御することを特徴とする請求項１に記載のモニタ付カメラ一体型情報記憶再生装置。
【請求項４】
前記外部機器がビデオプリンタである場合に、該ビデオプリンタが接続されているか否かを前記インターフェース手段を通じて受信し、該ビデオプリンタが接続されているときにのみ映像情報が前記インターフェース手段より前記ビデオプリンタに出力することを特徴とする請求項１に記載のモニタ付カメラ一体型情報記憶再生装置。
【請求項５】
前記外部機器がビデオプリンタである場合に、該ビデオプリンタが接続されているか否かを前記インターフェース手段を通じて受信し、該ビデオプリンタが接続されているときにのみプリント機能選択キャラクタ表示を行なうように表示キャラクタ制御部を制御することを特徴とする請求項１に記載のモニタ付カメラ一体型情報記憶再生装置。
【請求項６】
前記インターフェース手段は、外部機器との接続をコネクタで行なう場合、コネクタ接続の有無を自己判断することを特徴とする、請求項１、または、請求項３乃至請求項５のいずれかに記載されたモニタ付カメラ一体型情報記憶再生装置。
【発明の詳細な説明】
【０００１】
【発明の属する技術分野】
本発明は、モニタ付カメラ一体型情報記憶再生装置に係り、特にユーザが希望する任意の範囲の映像を指定してプリントアウトするトリミング機能を有したモニタ付カメラ一体型情報記憶再生装置に関するものである。
【０００２】
【従来の技術】
トリミング技術に関する従来技術として、特開平５−１４５８４６号公報に開示されている画像編集装置がある。
【０００３】
該画像編集装置は、トリミング結果を画像確認できるようにしたもので、入力画像と当該入力画像に対するトリミング領域表示とからなるトリミング編集用画面をディスプレイ装置の画面上に表示するとともに、当該トリミング編集用画面を表示した状態でトリミング領域の変更が可能となるように構成された画像編集装置である。
【０００４】
ここで、該画像編集装置は、トリミング領域内の画像であるトリミング画像を確認画面として前記ディスプレイ装置の画面上に表示するための確認画面表示制御手段と、前記トリミング編集用画面と前記確認画面とを切り換えて前記ディスプレイ装置の画面上に表示するための１つ又は複数の入力手段とを有して構成される。
【０００５】
そして、上記のように構成された該画像編集装置は、トリミング範囲指定手段で指定されたトリミング指定範囲の大きさが当該範囲の一辺の寸法を含む態様で表示手段に表示され、表示手段で表示された寸法をデータ入力手段にて所望の寸法データを入力する。
【０００６】
これにより、複写倍率演算手段が寸法データに応じた複写倍率を演算し、この複写倍率で複写手段がトリミング範囲の画像を複写する。
【０００７】
また、トリミング技術に関する別の従来技術として、特開平５−１５３３６４号公報に開示されているトリミング機能付複写機がある。
【０００８】
該トリミング機能付複写機は、原稿の中のコピー画像を得たいトリミング範囲を指定するためのトリミング範囲指定手段、指定されたトリミング範囲の大きさを少なくとも該範囲の一辺の寸法を含む態様で表示するトリミング範囲の大きさ表示手段、寸法データを入力する寸法データ入力手段、上記表示手段で表示された一辺の寸法を入力された寸法データを長くまたは短くするための複写倍率を演算する複写倍率演算手段、および演算された複写倍率でトリミング範囲の画像を複写するトリミング範囲画像複写手段を有するものである。
【０００９】
そして、該トリミング機能付複写機は、トリミング指定範囲が寸法表示され、この表示された寸法を拡大あるいは縮小に応じて所望の寸法に指定することができるので、得られるコピー画像は、使用者の希望する大きさとなる。
【００１０】
したがって、一度のトリミング処理で使用者の希望するトリミング画像が得られ、ミスコピーがなくなり、何回もトリミング処理をする必要もなくなる。
【００１１】
【発明が解決しようとする課題】
上記のように従来の画像トリミングは、特開平５−１４５８４６号公報に開示された画像編集装置を用いたり、特開平５−１５３３６４のように複写機にトリミング機能を持たせた方法が一般的で、別装置が必要なため、簡単にトリミングができないという課題や、複写機の機能増大による小型化への障害等の課題が有った。
また、出力サイズは手動にて設定しなければならないという不便さも有った。
【００１２】
本発明は、上記課題に鑑み、これを解決したモニタ付カメラ一体型情報記憶再生装置を提供するものである。
【００１３】
【課題を解決するための手段】
本発明は、被写体を撮影するカメラ部と、少なくとも、該カメラ部で撮影された映像を記録媒体に記録し、また、該記録媒体に記録された映像を再生する情報記録再生部と、該情報記録再生部で再生された映像、及び／または、前記カメラ部で撮影された映像を表示するモニタ部と、より成るモニタ付カメラ一体型情報記憶再生装置において、外部機器との情報の送受信をするインターフェース手段と、前記モニタ部に表示された映像から所定の範囲の映像を指定するトリミング手段と、少なくとも、前記トリミング手段で指定された映像を含む、予め定められた複数の映像形態の内から所定の映像形態を選択する映像モード選択手段と、を具備し、前記外部機器がビデオプリンタである場合に、該ビデオプリンタの用紙サイズを前記インターフェース手段を通じて受信し、該用紙サイズに応じた映像情報が前記インターフェース手段より前記ビデオプリンタに出力されるように前記トリミング手段、及び／または、前記映像モード選択手段を制御することを特徴とする。
また、本発明は、前記用紙サイズが、パノラマプリント用紙である場合には、２枚の静止画がプリントされる機能を備えたことを特徴とする。
また、本発明は、前記外部機器の状態を前記インターフェース手段を通じて受信し、該外部機器の状態に応じて前記トリミング手段、及び／または、前記映像モード選択手段、及び／または、表示キャラクタ制御部を制御することを特徴とする。
また、本発明は、前記外部機器がビデオプリンタである場合に、該ビデオプリンタが接続されているか否かを前記インターフェース手段を通じて受信し、該ビデオプリンタが接続されているときにのみ映像情報が前記インターフェース手段より前記ビデオプリンタに出力することを特徴とする。
また、本発明は、前記外部機器がビデオプリンタである場合に、該ビデオプリンタが接続されているか否かを前記インターフェース手段を通じて受信し、該ビデオプリンタが接続されているときにのみプリント機能選択キャラクタ表示を行なうように表示キャラクタ制御部を制御することを特徴とする。
また、本発明は、前記インターフェース手段は、外部機器との接続をコネクタで行なう場合、コネクタ接続の有無を自己判断することを特徴とする。
【００１４】
【発明の実施の形態】
以下、本発明のモニタ付カメラ一体型情報記憶再生装置の実施形態を図を参照して説明する。
図１は、本発明のモニタ付カメラ一体型情報記憶再生装置における映像系のブロック図である。
【００１５】
図１において、１は光学系／ＣＣＤ／ＣＣＤドライブ／信号処理等を含むカメラ部、２はＶＴＲの記録再生やビデオ出力や映像表示のためのビデオ信号処理回路、３は映像の記録再生を行なうＶＴＲ部、４はプリンタや外部モニタ等と接続され、モニタ付カメラ一体型情報記憶再生装置からはビデオ信号を出力し、外部機器からは外部機器状態情報をモニタ付カメラ一体型情報記憶再生装置へ取り込むことができるインターフェース部である。
【００１６】
また、５は表示部へのキャラクタ重畳表示等を制御するＬＣＤコントローラであり、後述する制御マイコン７からの制御の下に後述するＬＣＤ６の画面上にビデオカメラで撮影されている映像と、任意のグラフィックを重畳することができる。
【００１７】
また、６はビデオカメラで撮影されている映像やビデオ入力された画像を表示することはもとより、状態を示するモード表示や、トリミング位置を示すポインタなどの操作に必要なグラフィックキャラクタを表示するＬＣＤ部、７はシステムを制御する制御マイコン部である。
【００１８】
また、８は各種機能の実行を指示する操作スイッチ（以下、操作ＳＷという）部であり、ジョイスティック状の凸部を有し、操作ＳＷ８凸部を上下方向に傾斜させることで機能選択のためのマーカー移動や、トリミング枠の上下移動が行なわれ、操作ＳＷ８凸部を押込むことで機能選択が決定されるような構造等が考えられる。
【００１９】
図２は、前記制御マイコン７内の機能ブロックと前記制御マイコン７の周辺部分のブロック図である。ここで、図１と同じ構成要素には同じ符号を付し説明は省略する。
【００２０】
図２において、７ａから７ｄは、制御マイコン７におけるトリミング機能に関する機能ブロックであり、７ａは前記操作ＳＷ８がどのように操作されたかを検出する押下情報検出部、７ｂは前記操作ＳＷ８の状態や、前記インターフェース部４から得られる外部機器との接続状態や外部機器の状態を判断して適切な表示制御を行う条件判断部、７ｃは前記ＬＣＤ６上にビデオカメラの状態を示すモード表示や、トリミング位置を示すポインタなどの操作に必要なグラフィックキャラクタを表示させるために前記ＬＣＤコントローラー５を制御したり、前記ビデオ信号処理回路２のトリミング処理を制御する表示キャラクタ制御部、７ｄは表示キャラクタ制御部７ｃで使用するグラフィックデータや表示位置情報を格納したＲＯＭである。
【００２１】
以下、図２を参照して制御マイコン７の動作を説明する。
図２において、  操作ＳＷ８を操作することにより、その操作が電圧変化として制御マイコン７の入力端子に入力される。
制御マイコン７では、その入力を押下情報検出部７ａで、操作ＳＷ８が具体的にどのように操作されたのか解析する。
【００２２】
この検出状況は逐次条件判断部７ｂに送られ、ビデオカメラの動作状態（即ち、トリミングを行うのか否かなどの映像モードの選択状況等）や、インターフェース部４から入力される外部機器との接続状態等を判断する。
【００２３】
更に、表示キャラクタ制御部７ｃは、ＲＯＭ７ｄから状態に応じて表示すべきグラフィックやキャラクタを取り出し、ＬＣＤコントローラー５にデータを送りＬＣＤ６上の表示を更新すると共に、状況に応じてビデオ信号処理回路２へトリミング処理の指示を行い、インタフェース部４にトリミングされたビデオ信号を出力する。
【００２４】
次に、本実施形態におけるトリミング機能について説明する。
ここで、以下の説明においては、前記インターフェース部４を通じて外部プリンタと接続されているものとする。尚、該接続は有線・無線を問わないものである。
【００２５】
図３は、ＬＣＤ６に表示された映像をプリンタにプリントする際のＬＣＤ６の画面状態を示した図である。
図３において、（１）は、操作ＳＷ８にてプリント機能が選択された状態の表示画面であり、静止画と共に機能表示９により２種類の映像モード（「プリント」、「ワイドプリント」）が表示されている。
【００２６】
ここで、「プリント」機能は、通常のはがきサイズのプリント用紙に印刷する場合で、表示画面内の静止画がそのままプリントされるため、表示画面内には特別なプリント枠の表示はされない。
【００２７】
また、「ワイドプリント」機能は、パノラマ用のプリント用紙に印刷する場合であり、本実施形態にてはプリンターにはパノラマプリント用紙がセットされているものとする。
【００２８】
この画面状態で、操作ＳＷ８にて「ワイドプリント」が選択されると画面は（２）の画面状態に移行する。
【００２９】
（２）においては、「カップル」「パノラマ」の機能表示９が画面に重畳表示され、また、右上隅には「ワイドプリント」機能であることが表示されている。
【００３０】
ここで、「カップル」機能は、パノラマプリント用紙に２枚の静止画がプリントされる機能であり、また、「パノラマ」機能はパノラマプリント用紙に１枚の静止画がプリントされる機能である。
【００３１】
この画面状態で、上記同様に操作ＳＷ８にて「パノラマ」が選択されると画面は（３）の画面状態に移行する。
【００３２】
（３）においては、「送信」の機能表示９とともに、４コのポインタ１０が表示される。尚、該ポインタは、「パノラマ」機能が決定された時にのみ表示されるものである。
【００３３】
４コのポインタ１０は、画面左右端部に表示され、ポインタ１０で囲まれた領域がほぼパノラマサイズとなるように配置されている。
【００３４】
この状態で操作ＳＷ８を操作して４コのポインタ１０をそれぞれ同時に上下方向へ移動し、パノラマプリント領域を設定することができる。
【００３５】
（４）は、上記のようにして操作ＳＷ８にてポインタ１０を上方向へ移動し、静止画上で「月」「星」「山」が完全に入る構図にプリント領域を設定した後、画面上の「送信」機能表示によりプリンターにプリントアウトの指示を行なっている時の画面表示である。
【００３６】
以上のようなトリミング動作においては、制御マイコン７での動作は、押下情報検出部７ａが操作ＳＷ８にて「ワイドプリント」機能部分が押下られたことを検出し、条件判断部７ｂでは「ワイドプリント」機能の実行を判断、即ち映像をトリミングするモードに入っているという状況を判断し、表示キャラクタ制御部７ｃに対しＲＯＭ７ｄから表示すべきトリミング枠のグラフィック及び表示位置を取り出しＬＣＤコントローラー５にデータを送り、ＬＣＤ６上にトリミング枠を表示して、ユーザーの操作をサポートすると共に、ビデオ信号処理回路２のトリミング処理を行い、ビデオ出力部４にトリミングされたビデオ信号を出力する。
【００３７】
ここで、条件判断部７ｂにてプリンタが接続されているか否かの判断を行えば、制御マイコン７はこの判断結果に基づき、プリンタが接続されていると判断した場合にのみ上記図３（１）以降のプリント機能の実施を許諾し、接続されていないと判断した場合はプリント機能に関する表示や機能選択を実行しないことが可能となる。
【００３８】
また、条件判定部７ｂはインターフェース４を経由して送られてくるプリンタの状態情報から、プリンタに装着されている用紙サイズを判断し、例えばはがきサイズの用紙が装着されている場合に操作ＳＷ８にて図３（１）に示したプリント機能を選択すると、「プリント」が自動選択され、また、パノラマサイズの用紙が装着されている場合に操作ＳＷ８にてプリント機能を選択すると、自動的に図３（２）の画面が表示され以降上述した手順にてパノラマプリントが実行することが可能となる。
【００３９】
次に、図４にトリミング機能に関する制御マイコン７のフローチャートを示す。
ステップＳ４−１は、図３（１）の「ワイドプリント」が選択され、動作を開始するステップである。
【００４０】
ステップＳ４−２は、トリミングモードに設定されているかどうか、図３（２）においては「カップル」か「パノラマ」かの判断処理である。
【００４１】
ステップＳ４−３は、操作ＳＷ８によりトリミング位置が上に移動されているか否かの判断処理。
【００４２】
ステップＳ４−４は、操作ＳＷ８によりトリミング位置が下に移動されているか否かの判断処理。
【００４３】
ステップＳ４−５は、ステップＳ４−２の判断処理で、トリミングモードに設定されていないと判断した結果、ＬＣＤ６にトリミング枠である４コのポインタ１０を表示しない抑制処理。
【００４４】
ステップＳ４−６は、ステップＳ４−３の判断処理で、トリミング位置操作ＳＷ８が上に押されたと判断した結果、ＬＣＤ６上のトリミング枠である４コのポインタ１０表示を上に移動させて表示する描画処理。
【００４５】
ステップＳ４−７は、ステップＳ４−４の判断処理で、操作ＳＷ８にてトリミング位置が下に移動されたと判断した結果、ＬＣＤ６上のトリミング枠である４コのポインタ１０表示を下に移動させて表示する描画処理。
【００４６】
ステップＳ４−８は、ＬＣＤ６上のトリミング枠である４コのポインタ１０表示を位置固定で表示する描画処理で、図３においては（４）に相当し、この状態でインターフェース４には４コのポインタ１０で囲まれた部分の映像信号のみがトリミング出力され、プリンターにてプリントアウトされることになる。
【００４７】
尚、本実施形態におけるトリミング枠を４コのポインタ１０で表わしたが、トリミング部分を各種の線枠として表わしたり、色をかえたり、不要部分の映像を表示しないようにすることも可能である。
【００４８】
また、モニタ付カメラ一体型情報記憶再生装置と外部機器とがコネクタを介し有線接続されている場合には、例えばコネクタ部にコネクタの挿抜でオンオフするスイッチを設ける等することで、外部機器との接続をコネクタ自体、所謂インターフェース４自体で判断する事も当然可能である。
【００４９】
更に、本発明は、機器間の画像情報伝達信号として、アナログ信号／デジタル信号等を問わず可能な発明である。
【００５０】
【発明の効果】
本発明によれば、装置のモニタを効果的に利用し簡単にプリントモニターでき、また、プリンター側でのトリミング機能を不要とすることで、携帯型プリンタ等、プリンタの小型化を図ることが可能となる。
【００５１】
また、本発明によれば、プリンタとの接続検出手段を有し、プリンタとの接続が検出された時のみ、プリントモードを表示／実行することで、ＧＵＩの複雑化を回避する事ができ、また、プリンタから送られてくるプリント用紙サイズ情報により出力される映像が自動的に選択されることで、操作をより容易ならしめると共に、用紙選択や信号出力の誤りを無くすることが可能となる。
【図面の簡単な説明】
【図１】本発明におけるモニタ付カメラ一体型情報記憶再生装置の映像系のブロック図である。
【図２】本発明の画像トリミング機能に関する制御マイコン内ブロックとその周辺部分のブロック図である。
【図３】本発明のＬＣＤの表示画面である。
【図４】本発明のトリミング機能に関する制御マイコンのフローチャートである。
【符号の説明】
１  カメラ部
２  ビデオ信号処理部
３  ＶＴＲ部
４  ビデオ出力部
５  ＬＣＤコントローラ部
６  ＬＣＤ部
７  制御マイコン
７ａ  押下情報検出部
７ｂ  条件判断部
７ｃ  表示キャラクタ制御部
７ｄ  ＲＯＭ
８  操作ＳＷ
９  機能表示
１０  トリミング枠ポインタ
【図１】
0003586571.tif 000002
【図２】
0003586571.tif 000003
【図３】
0003586571.tif 000004
【図４】
0003586571.tif 000005